(57)【要約】【課題】  天井と床面間に立設した両支柱間に、パネル体を前面側からの作業で着脱可能な構造の簡易施工型の間仕切壁において、前面側から作業でパネル体のみを支柱間に着脱できる利点を損なうことなく、表裏方向の外力による支柱の変形を防止し、簡単な構造により達成できる間仕切壁の支柱変形防止装置を提供する。【解決手段】  パネル体６は面圧方向の曲げ強度が支柱１よりも大きい剛構造となし、支柱の側面とパネル体の側端面の間の接合面に沿った方向において、支柱とパネル体との連結状態で互いに係合し且つ強制的に係合を解除できる程度の緩い係合手段を設け、パネル体で支柱の曲げ強度を補強した。係合手段として支柱側面の両連結溝１７間の中間台１９に係合具９を添着し、係合具の外面の両側部に突設した球面ダボ４７を、パネル体の側端面の凹溝２６内の溝縁に係合した。【選択図】        図８
2006328870.tif 000002
【特許請求の範囲】
【請求項１】
天井と床面間に間隔を隔てて立設した両支柱間に、パネル体を前面側からの作業で着脱可能な構造の間仕切壁の支柱変形防止装置であって、前記パネル体は面圧方向の曲げ強度が前記支柱よりも大きい剛構造となし、前記支柱の連結側の側面とパネル体の側端面の間の接合面に沿った方向において、前記支柱とパネル体との連結状態で互いに係合し且つ強制的に係合を解除できる程度の緩い係合手段を設け、前記パネル体で支柱の曲げ強度を補強してなることを特徴とする間仕切壁の支柱変形防止装置。
【請求項２】
前記支柱の各外側面に沿った長手方向に２条の平行な連結溝を形成し、両連結溝に上下スライド係合する下連結具と上連結具とでパネル体の側端部の上下部を係合保持するとともに、前記係合手段として、前記両連結溝間の中間台の上下中間位置に単又は複数の断面略コ字形の係合具を添着し、該係合具の外面の両側部に突設した球面ダボを、前記パネル体の側端面の中央部に沿って上下方向に形成した凹溝内の溝縁に係合してなる請求項１記載の間仕切壁の支柱変形防止装置。
【請求項３】
前記係合具は、前記接合面に平行な基板の両側を一方へ折曲して抱持片を形成した断面略コ字形とし、前記基板の外面の両側部に少なくとも一対の球面ダボを突設したものであり、前記支柱の中間台に基板の裏面を接着するとともに、前記連結溝内に位置する両抱持片で中間台を前後から挟んだ状態で添着してなる請求項１又は２記載の間仕切壁の支柱変形防止装置。
【請求項４】
前記パネル体は、スチール製の表パネルと裏パネル間にハニカム芯材を挟んで一体化した剛構造であり、前記支柱はアルミニウム製の型材である請求項１〜３何れかに記載の間仕切壁の支柱変形防止装置。
【発明の詳細な説明】
【技術分野】
【０００１】
本発明は、間仕切壁の支柱変形防止装置に係わり、更に詳しくは天井と床面間に立設した支柱間にパネル体を装着する簡易施工型の間仕切壁の支柱変形防止装置に関するものである。
【背景技術】
【０００２】
従来から天井に取付けた天レールと床面に敷設して地レールとの間に伸縮可能な支柱を一定間隔毎に立設し、両支柱間にパネル体を着脱可能に取付けて、順次側方へ連設する構造の間仕切壁は各種提供されている。ここで、地レールを省略して直接支柱の下端に設けたアジャスターを床面に移動不能に支持するものも提供されている。
【０００３】
例えば、特許文献１には、支柱の連結面側の側面に切欠孔を形成し、パネル体の側端面にフックを突設し、該フックを前記切欠孔に係止して支柱にパネル体を連結し、支柱を介して次々にパネル体を連結する構造の間仕切装置が開示されている。また、パネル体の側端面には、中央部に沿って凹溝を形成し、該凹溝内にクッション体を側方へ突出するように装着し、支柱にパネル体を連結した際に該クッション体が両接合面間の隙間を隠蔽し、表裏方向に対する遮光性を待たせている。あるいは、支柱の連結面側の側面とパネル体の側端面の一方に凹溝を上下方向に形成し、他方に該凹溝に嵌合する突条を形成し、凹溝と突条との凹凸嵌合と前述の切欠孔とフックとによる連結手段を併用した連結構造のものも提供されている。
【０００４】
しかし、前述の構造の間仕切装置では、支柱とパネル体を連結して間仕切壁を施工した後に、任意のパネル体を取外すことは不可能であり、また所定間隔で立設した支柱間に後でパネル体を取付けることも不可能である。このような状況は、特定のパネル体を他の構造のパネル体、例えばガラス窓付きのパネル体に変更したり、ドアパネルに交換したりする際に生じる。
【０００５】
そこで、前述の不具合を解消するために、特許文献２には、アルミニウム製の型材で、各側面に沿った長手方向に２条の平行な連結溝を形成し、両連結溝の外側縁から側面に沿って内方へ係止縁を形成した形状の支柱を立設し、下連結具の外向きの両係合片を前記支柱の連結溝内に上下スライド係合して支柱の下部に位置固定し、そして該下連結具の上向き係合爪に、パネル体の下端コーナー部に形成した係合部を上方から係合して載置した後、上連結具の外向きの両係合片を前記支柱の連結溝内に上端からスライド係合して下方へ移動させて、該上連結具の下向き係合爪をパネル体の上端コーナー部に形成した係合部に係合して連結する構造の間仕切装置が開示されている。つまり、この構造の間仕切壁は、施工後でも、任意のパネル体を前面側から取外すことができ、また所定間隔で立設した支柱間に後でパネル体を取付けることも可能である。
【０００６】
この特許文献２記載の簡易施工型の間仕切装置は、前述のように組立施工が簡単であり、施工後に特定パネル体を前面側から脱着できるといった利点はあるが、支柱の表裏方向に対して外力によって変形し易いといった欠点を有している。つまり、パネル体を前面側から脱着できるようにしたため、支柱とパネル体との接合面が凹凸嵌合する構造とはなっておらず、支柱は上下部でのみパネル体と連結具を介して連結され上下中間部はフリーであるので、支柱の上下中間部を表裏方向に押すと湾曲し、パネル体に対して大きく凹むことになる。特に、アルミニウム製の型材で形成した軽量構造の支柱では、その変形が顕著になる。
【特許文献１】実公昭６１−１８０９９号公報
【特許文献２】特開平１１−１３１６８６号公報
【発明の開示】
【発明が解決しようとする課題】
【０００７】
そこで、本発明が前述の状況に鑑み、解決しようとするところは、天井と床面間に間隔を隔てて立設した両支柱間に、パネル体を前面側からの作業で着脱可能な構造の簡易施工型の間仕切壁において、前面側から作業でパネル体のみを支柱間に着脱できる利点を損なうことなく、表裏方向の外力による支柱の変形を防止し、しかもそれを最小限のコスト上昇で、また簡単な構造により達成することができる間仕切壁の支柱変形防止装置を提供する点にある。
【課題を解決するための手段】
【０００８】
本発明は、前述の課題解決のために、天井と床面間に間隔を隔てて立設した両支柱間に、パネル体を前面側からの作業で着脱可能な構造の間仕切壁の支柱変形防止装置であって、前記パネル体は面圧方向の曲げ強度が前記支柱よりも大きい剛構造となし、前記支柱の連結側の側面とパネル体の側端面の間の接合面に沿った方向において、前記支柱とパネル体との連結状態で互いに係合し且つ強制的に係合を解除できる程度の緩い係合手段を設け、前記パネル体で支柱の曲げ強度を補強してなる間仕切壁の支柱変形防止装置を構成した（請求項１）。
【０００９】
具体的には、前記支柱の各外側面に沿った長手方向に２条の平行な連結溝を形成し、両連結溝に上下スライド係合する下連結具と上連結具とでパネル体の側端部の上下部を係合保持するとともに、前記係合手段として、前記両連結溝間の中間台の上下中間位置に単又は複数の断面略コ字形の係合具を添着し、該係合具の外面の両側部に突設した球面ダボを、前記パネル体の側端面の中央部に沿って上下方向に形成した凹溝内の溝縁に係合してなることが好ましい（請求項２）。
【００１０】
また、前記係合具は、前記接合面に平行な基板の両側を一方へ折曲して抱持片を形成した断面略コ字形とし、前記基板の外面の両側部に少なくとも一対の球面ダボを突設したものであり、前記支柱の中間台に基板の裏面を接着するとともに、前記連結溝内に位置する両抱持片で中間台を前後から挟んだ状態で添着してなることも好ましい（請求項３）。
【００１１】
そして、前記パネル体は、スチール製の表パネルと裏パネル間にハニカム芯材を挟んで一体化した剛構造であり、前記支柱はアルミニウム製の型材であることがより好ましい（請求項４）。
【発明の効果】
【００１２】
以上にしてなる請求項１に係る発明の間仕切壁の支柱変形防止装置は、天井と床面間に間隔を隔てて立設した両支柱間に、パネル体を前面側からの作業で着脱可能な構造の簡易施工型の間仕切壁であるにも係わらず、支柱の連結側の側面とパネル体の側端面の間の接合面に設けた係合手段により、面圧方向の曲げ強度が前記支柱よりも大きい剛構造のパネル体で支柱の曲げ強度を補強して、表裏方向の外力による支柱の変形を防止することができるのである。
【００１３】
請求項２によれば、支柱の各外側面に沿った長手方向に２条の平行な連結溝を形成し、両連結溝に上下スライド係合する下連結具と上連結具とでパネル体の側端部の上下部を係合保持するので、両支柱間に前面側からパネル体の着脱が可能であり、そして側端面の中央部に沿って凹溝を上下方向に形成した従来構造のパネル体を用い、外面の両側部に球面ダボを突設した断面略コ字形の係合具を、支柱の両連結溝間の中間台に添着するだけで、支柱とパネル体との連結状態で前記球面ダボが凹溝内の溝縁に係合して、パネル体で支柱の曲げ強度を補強することができ、しかもそれを最小限のコスト上昇で、また簡単な構造により達成することができる。
【００１４】
請求項３によれば、係合具の構造が単純で安価に作製することができ、しかも支柱の上下中間位置の適所に両面テープ等を用いて接着するだけで添着することができ、また係合具の両抱持片で支柱の中間台を抱持するので、施工時に接合面に沿った方向に力が加わっても外れる恐れがなく、施工が極めて容易である。
【００１５】
請求項４によれば、パネル体が面圧方向の曲げ強度が十分に高い剛構造とすることができ、それによりアルミニウム製の型材からなる軽量な支柱の曲げ強度を十分に補強することができる。
【発明を実施するための最良の形態】
【００１６】
次に、添付図面に示した実施形態に基づき、本発明を更に詳細に説明する。図１は本発明に係る支柱変形防止装置を用いた間仕切壁を示し、図２〜図５は間仕切壁の構造を示し、図６〜図９は本発明の要部を示し、図中符号１は支柱、２は下部支柱、３は上部支柱、４は天レール、５は地レール、６はパネル体、７は巾木、８は欄間パネル板、９は係合具をそれぞれ示している。
【００１７】
本実施形態における間仕切壁は、予め天井Ｓに天レール４、床面Ｆに地レール５を取付けておき、支柱１を立起状態に手で保持しながら下部支柱２に対して上部支柱３を押上げて、該上部支柱３の上端部を前記天レール４に弾性的に係合させて立起状態を維持し、隣接する下部支柱２，２間にパネル体６を着脱可能に取付けるとともに、該パネル体６の下端に巾木７を取付け、それから隣接する上部支柱３，３間に欄間パネル板８を着脱可能に取付けたものである。尚、前記パネル体６は、予め所定間隔で立設した支柱１，１の下部支柱２，２間に後で装着することも可能であるが、新設の場合には図２に示すように、一方の支柱１を立設し、他方の支柱１を縮めた状態でパネル体６の一側部に連結しておき、予め立設した支柱１の下部支柱２に前記パネル体６の他側部を連結し、この作業を繰り返し行うことで側方へパネル体６を順次側設するようにすることが施工性の観点から好ましい。
【００１８】
前記支柱１は、図２〜図４に示すように、中空の下部支柱２と該下部支柱２の上部に上下スライド可能に内嵌する上部支柱３とからなり、前記下部支柱２は、外形が四角形で少なくとも四隅角部１０，…は薄肉に設定するとともに、四隅角部１０内面は内部空間１０Ａに連通した形状であり、前記上部支柱３は、前記下部支柱２の内部空間１０Ａに嵌挿する主柱部１１と該主柱部１１から前記下部支柱２の四隅角部１０，…内面に密接する張出し縁部１２，…を延設した形状としている。
【００１９】
また、前記上部支柱３の上端部の少なくとも一対の対向面側の外面に、前記天レール４の前後垂下板１３，１３に圧接して前記上部支柱３を保持可能、及び前記下部支柱２の上端に係止可能な合成樹脂製のブッシュ１４，…を突設している。更に、前記下部支柱２の内部空間１０Ａに面する四辺面の内面中央部に沿って凹溝１５，…を形成するとともに、前記上部支柱３の主柱部１１の下部で四辺面の外面に前記凹溝１５内に上下スライド可能に係合するスライダー１６，…を突設している。
【００２０】
具体的には、前記下部支柱２は、アルミニウム製の型材であり、断面形状において四角形、好ましくは正方形の輪郭を有し、中央部に断面略正方形の内部空間１０Ａを有し、薄肉に設定した四隅角部１０，…の内面は該内部空間１０Ａに連通し、そして内部空間１０Ａに面する四辺面の内面中央部に沿って凹溝１５，…を形成し、該凹溝１５を形成した部分の外面は前記四隅角部１０，…の外面と略面一となっている。更に、前記下部支柱２は、各外側面に沿った長手方向に２条の平行な連結溝１７，１７を形成し、両連結溝１７，１７の外側縁から側面に沿って内方へ係止縁１８，１８を形成した構造であり、前記両連結溝１７，１７の間には中間台１９を形成している。尚、この中間台１９の内側は前記凹溝１５となっており、また中間台１９の外面はその他の側面と面一となっている。また、前記下部支柱２の下端には前記連結溝１７，…の端部を閉鎖するようにアジャスター２０の受具２１が嵌着されている。
【００２１】
また、前記上部支柱３は、アルミニウム製の型材であり、前記下部支柱２の内部形状に応じたものであり、前記下部支柱２の内部空間１０Ａに嵌挿する中空の主柱部１１の四隅部から断面形状において放射状に矢印形の張出し縁部１２，…を延設した形状であり、隣接する張出し縁部１２，１２の中間部には、該張出し縁部１２の外面よりも内方へ凹んだ位置に形成した座面に、前記ブッシュ１４及びスライダー１６を突設し、前記ブッシュ１４は前記張出し縁部１２の外面よりも若干側方へ突出するように設定し、前記スライダー１６は前記張出し縁部１２の外面よりも突出せず、前記下部支柱２の凹溝１５内で摺動できるように突出高さを設定している。
【００２２】
次に、前記支柱１を立設する構造、手順について図２及び図３に基づいて説明する。前記天井Ｓに取付ける天レール４は、本実施形態では下方へ開放した断面略コ字形のアルミニウム製の型材であり、上面板２２の前後に垂下板１３，１３を有する。ここで、前記両垂下板１３，１３の内面は、前記下部支柱２の上端に突設したブッシュ１４，１４を圧接する面となっており、該垂下板１３に前記ブッシュ１４を係止できる段差部を設けることが好ましい。但し、前記天レール４は、前記同様な形状にスチール板を折曲形成して作成したものでも良い。
【００２３】
そして、正確な位置に前記支柱１を立設するには、先ず天井Ｓと床面Ｆに墨だしによって目印を付け、前記天レール４を天井Ｓに上面板２２を下方からアンカーボルトで取付ける一方、図２及び図３に示すように、床面Ｆの所定位置に上方へ凹部を向けた断面略コ字形の地レール５をアンカーボルトで取付け、該地レール５の凹溝内にアジャスター２０の接地部を載置し、適宜横ズレを防止する。
【００２４】
また、前記パネル体６は、スチール製の表パネル２３と裏パネル２４間にハニカム芯材２５を挟んで一体化した剛構造であり、少なくとも両側端面の中央部に沿って上下方向に凹溝２６，２６を形成している。本実施形態では、前記凹溝２６は、表パネル２３と裏パネル２４の端縁間に隙間を設けて形成している。
【００２５】
次に、前記パネル体６を下部支柱２に連結するための構造について説明する。前記下部支柱２の一側面下部に下連結具２７を装着し、上部に上下スライド可能に上連結具２８を装着し、下連結具２７には上向き係合爪２９を有し、上連結具２８には下向き係合爪３０を有しており、前記パネル体６の下端には、前記下連結具２７の上向き係合爪２９を係合する開口部３１を形成するとともに、上端には前記上連結具２８の下向き係合爪３０を落し込み係合する係合孔３２とを形成し、前記パネル体６の開口部３１を前記下部支柱２に装着しておいた前記下連結具２７の上向き係合爪２９に上方から係合して載置した後、前記上連結具２８を前記下部支柱２の上端から係合させ下方へ移動させて下向き係合爪３０を上方の係合孔３２に係合して連結するのである。
【００２６】
また、前記下連結具２７は、図２〜図５に示すように、断面コ字形の縦長の本体部３３の両側縁に外向きに係合片３４，３４が折曲形成されており、この係合片３４，３４を含む両端縁部が前記下部支柱２の連結溝１７，１７内に上下スライド可能に係合し且つ両係止縁１８，１８で両係合片３４，３４が側方への抜け止めがなされ、前記本体部３３の上端からは上方へ延び且つ先端が外向きに曲がった前記上向き係合爪２９が延設されている。ここで、前記支柱１の連結溝１７，１７内に係合させた下連結具２７の両係合片３４，３４は、前記アジャスター２０の受具２１で当止され、高さ位置が固定される。
【００２７】
そして、前記上連結具２８は、図２〜図５に示すように、断面コ字形の縦長の本体部３５の両側縁に外向きに係合片３６，３６が折曲形成されており、この本体部３５と係合片３６，３６の断面形状は前記下連結具２７のものと同様であり、前記下部支柱２の連結溝１７，１７と係止縁１８，１８とで上下スライド可能且つ側方への抜け止めがなされ、また本体部３５の上端から外方へ延設した上板３７の両側縁には前記下向き係合爪３０，３０が一対形成されている。ここで、前記係合片３６，３６の上端は本体部３５よりも上方へ延設されており、また上板３７の先端には上方へ段状に突出した爪片３８が一体形成されている。そして、前記一対の下向き係合爪３０，３０に応じて、前記パネル体６には一対の長孔からなる係合孔３２，３２が形成されている。
【００２８】
そして、前記下部支柱２の上端から前記下連結具２７を両係合片３４，３４を連結溝１７，１７内にスライド係合し、下端のアジャスター２０の受具２１に当止した状態で、前記パネル体６の開口部３１内に下連結具２７の上向き係合爪２９を係合し、該パネル体６の側端面を下部支柱２の側面に密着した状態で、下部支柱２の上端から前記上連結具２８の両係合片３６，３６を連結溝１７，１７内にスライド係合し、一側部上部の係合孔３２，３２に下向き係合爪３０，３０を係合して連結する。ここで、前記上連結具２８の本体部３５は、パネル体６の側端面の上下端に形成した切欠開口３９内に収容された状態となる。尚、パネル体６と下部支柱２とを分解する場合には、前記上連結具２８を上方へ持ち上げるが、固く係合している場合には、前記爪片３８にドライバー等の工具の先端を引っ掛けて強制的に持ち上げて下部支柱２から外し、それからパネル体６を持ち上げて下連結具２７から外し、最後に下連結具２７を下部支柱２から上方へ抜くのである。このようなパネル体６の取付構造であるので、予め間仕切壁を施工後に、任意のパネル体６を取外すことが可能である。
【００２９】
ここで、図５に示すように、前記地レール５の代わりに、支柱１を立設する位置にのみ固定金具４０を床面Ｆにアンカーボルトで固定することも可能である。前記アジャスター２０の接地部を前記固定金具４０に載置した状態で、側方から下方へ凹部を向けた断面略コ字形の保持金具４１を前記固定金具４０に外嵌すると同時に、上面に形成したＵ字状切欠溝を前記アジャスター２０の接地部に嵌合するのである。
【００３０】
前記巾木７は、図２に示すように、表裏の巾木板４２，４２の中間を連結板４３で一体的に連結した断面略Ｈ字形であり、前記連結板４３より上方の両巾木板４２，４２の上部間に前記パネル体６の下端部表裏面を挟持可能且つ該パネル体６に対して上下スライド変位可能であるとともに、前記連結板４３より下方の両巾木板４２，４２の下部間に前記地レール５又は固定金具４０を収容可能とした。ここで、前記巾木７は、前記パネル体６の下端部に装着する前の状態において、両巾木板４２，４２の上端間隔を前記パネル体６の表裏面の厚さよりも小さく設定し、合成樹脂で押出し成形したものである。
【００３１】
それから、図１及び図２に示すように、両下部支柱２，２間に装着した前記パネル体６の上方の両上部支柱３，３、パネル体６の上端及び天レール４で囲まれた空間には、前述のように欄間パネル板８を取付ける。それには、前記上部支柱３の内面側に縦パッキン４４を表裏両側の張出し縁部１２，１２間に嵌着するとともに、前記パネル体６の上方凹溝２６内に横パッキン４５を嵌着し、前記天レール４の両下片２３，２３間に横パッキン４５を嵌着し、前記欄間パネル板８の周囲をそれらのパッキンで保持するのである。
【００３２】
また、前記巾木７が存在しない前記支柱１の下端部には、図２及び図３に示すように、前記巾木７と上下高さが略同一である支柱カバー４６を、前記地レール５の立起片と支柱１の連結溝１７，１７を利用して着脱可能に嵌着している。
【００３３】
このような簡易施工型の間仕切壁において、前記支柱１はアルミニウム製の軽量型材であり、また天井Ｓと床面Ｆとの間に立設される長尺部材であるので、上下スパンが長くなっている。しかも、前記パネル体６を両支柱１，１間に前面側から施工後でも脱着できるようにするため、前記パネル体６とは下連結具２７と上連結具２８とで支柱１に連結されているのみであるから、前記下連結具２７と上連結具２８との間は、前記支柱１に面圧方向、つまり間仕切壁の表裏方向に外力を加えると容易に変形してしまう。つまり、前記パネル体６は、面圧方向の曲げ強度は非常に高い剛構造となっているが、前記支柱１は曲げ強度がパネル体６よりも非常に小さいからである。
【００３４】
そこで、本発明では、前記パネル体６は面圧方向の曲げ強度が前記支柱１よりも大きい剛構造となし、前記支柱１の連結側の側面とパネル体６の側端面の間の接合面に沿った方向において、前記支柱１とパネル体６との連結状態で互いに係合し且つ強制的に係合を解除できる程度の緩い係合手段を設け、前記パネル体６で支柱の曲げ強度を補強したのである。
【００３５】
更に詳しくは、図２、図６〜図９に示すように、前記係合手段として、前記両連結溝１７，１７間の中間台１９の上下中間位置に単又は複数の断面略コ字形の係合具９を添着し、該係合具９の外面の両側部に突設した球面ダボ４７，４７を、前記パネル体６の側端面の中央部に沿って上下方向に形成した凹溝２６内の溝縁２６Ａ，２６Ａに係合するのである。具体的には、前記係合具９は、前記接合面に平行な基板４８の両側を一方へ折曲して抱持片４９，４９を形成した断面略コ字形とし、前記基板４８の外面の両側部に少なくとも一対の球面ダボ４７，４７を突設したものである。そして、前記係合具９は、前記支柱１の中間台１９に基板４８の裏面を両面テープ５０にて接着するとともに、前記連結溝１７，１７内に位置する両抱持片４９，４９で中間台１９を前後から挟んだ状態で添着するのである。尚、本実施形態では、前記支柱１の上下中間部に、前記係合具９を１個だけ装着したが、上下に間隔を置いて複数個装着することも可能である。
【００３６】
前記係合具９の球面ダボ４７，４７の突出高さは、施工後において両支柱１，１間からパネル体６を前面側に外す際に、接合面の方向へ強制的に球面ダボ４７，４７が凹溝２６内から外れるように設定している。ただし、前記支柱１とパネル体６とが連結された施工状態において、前記支柱１の上下中間部を表裏方向に押しても容易に変形しない、つまり球面ダボ４７，４７が凹溝２６内から外れないように設定する必要がある。また、前記球面ダボ４７，４７の代わりに、半円柱状の突起を前記係合具９の基板４８の両側部に上下方向に向けて平行に形成しても良い。また、前記球面ダボ４７，４７の代わりに、前記係合具９の基板４８そのものが傾斜若しくは湾曲して突出していても良い。しかし、前記支柱１とパネル体６とを接合面の方向に移動させた際に、パネル体６の側端面を大きく傷付けるような突起であってはならない。
【００３７】
尚、本実施形態では、前記支柱１とパネル体６との接合面に隙間が生じ、間仕切壁を歯光が透過することを防止するため、図８及び図９に示すように、前記パネル体６の凹溝２６内に弾性体からなる目地パッキン５１を、その先端が当該パネル体６の側端面から突出するように装着している。そして、前記パネル体６の側端面を前記支柱１に側面に連結した際に、前記目地パッキン５１の先端が、支柱１の中間台１９の側面を押圧し、接合面を遮蔽している。
【図面の簡単な説明】
【００３８】
【図１】本発明を適用した間仕切壁の部分正面図である。
【図２】同じく間仕切壁の分解斜視図である。
【図３】立起状態の支柱の側面図である。
【図４】立起状態の支柱間にパネル体を取付ける構造を部分破断して示した分解斜視図である。
【図５】同じく立起状態の支柱間にパネル体を取付けた状態の正面図である。
【図６】本発明の係合具を支柱に装着する構造を示す分解斜視図である。
【図７】同じく立起状態の支柱に係合具を取付けた状態を一部断面で示した側面図である。
【図８】係合具を取付けた支柱にパネル体６を連結する様子を示す部分断面図である。
【図９】支柱とパネル体の連結状態を示す横断面図である。
【符号の説明】
【００３９】
１  支柱                ２  下部支柱
３  上部支柱            ４  天レール
５  地レール            ６  パネル体
７  巾木                ８  欄間パネル板
９  係合具              １０  四隅角部
１０Ａ  内部空間        １１  主柱部
１２  縁部              １３  垂下板
１４  ブッシュ          １５  凹溝
１６  スライダー        １７  連結溝
１８  係止縁            １９  中間台
２０  アジャスター      ２１  受具
２２  上面板            ２３  下片
２３  表パネル          ２４  裏パネル
２５ハニカム芯材        ２６  凹溝
２６Ａ，２６Ａ  溝縁    ２７  下連結具
２８  上連結具          ２９  上向き係合爪
３０  下向き係合爪      ３１  開口部
３２  係合孔            ３３  本体部
３４  係合片            ３５  本体部
３６  係合片            ３７  上板
３８  爪片              ３９  切欠開口
４０  固定金具          ４１  保持金具
４２  巾木板            ４３  連結板
４４  縦パッキン        ４５  横パッキン
４６  支柱カバー        ４７  球面ダボ
４８  基板              ４９  抱持片
５０  両面テープ        ５１  目地パッキン
Ｆ  床面                Ｓ  天井
【図１】
2006328870.tif 000003
【図２】
2006328870.tif 000004
【図３】
2006328870.tif 000005
【図４】
2006328870.tif 000006
【図５】
2006328870.tif 000007
【図６】
2006328870.tif 000008
【図７】
2006328870.tif 000009
【図８】
2006328870.tif 000010
【図９】
2006328870.tif 000011